(57)【要約】【課題】新品の製品でありながら、長年にわたって使用され続けて来たかのような古木調を呈する使用済様木調床材提供すること。【解決手段】バック層とバック層の表面に積層され、フィルム基材の表面に木材様模様を印刷してなる模様印刷層と、その模様印刷層の表面に積層された透明層とを有する積層体からなり、前記積層体における模様印刷層及び透明層の周囲縁辺に傷様のへこみが形成されてなる使用済様木調床材。【選択図】図１
0003181516.tif 000002
【実用新案登録請求の範囲】
【請求項１】
バック層とバック層の表面に積層され、フィルム基材の表面に木材様模様を印刷してなる模様印刷層と、その模様印刷層の表面に積層された透明層とを有する積層体からなり、前記積層体における模様印刷層及び透明層の周囲縁辺に傷様のへこみが形成されてなる使用済様木調床材。
【請求項２】
前記積層体が長尺板状であり、前記模様印刷層における木材様模様が長尺の板模様である前記請求項１に記載の使用済様木調床材。
【請求項３】
前記木材様模様が、長尺板材を配列したときに生じる板材配列模様であり、その板材配列模様における板材と板材との接合部に傷様のへこみが形成されてなる前記請求項１又は２に記載の使用済様木調床材。
【考案の詳細な説明】
【技術分野】
【０００１】
この考案は使用済様木調床材に関し、更に詳しくは、新品の製品でありながら、長年にわたって使用され続けて来たかのような古木調を呈する使用済様木調床材に関する。
【背景技術】
【０００２】
従来、バック層とバック層の表面に積層され、フィルム基材の表面に木材様模様を印刷してなる模様印刷層と、その模様印刷層の表面に積層された透明層とを有する積層体からなる床材がある。前記模様印刷層に木目を印刷してなる木目調の床材もある。
【０００３】
従来の木目調の床材は、天然木で作られた床材と同じ外観を呈することを重要視していた。したがって、従来の前記木目調の床材は、天然木を製材してなる新品の板材の外観を写真撮影し、その写真撮影された板材の外観がフィルム基材の表面に印刷されていた。したがって、従来の前記木目調の床材は、平面視すると、新品の天然木が使用されているかのような外観を呈していた。
【０００４】
しかしながら、近年における需要者の多様化した嗜好から、新品の床材であっても古色蒼然とした外観を呈する、古木然とした床材が要望されている。
【０００５】
新品の床材でありながら古色蒼然とした外観の、古木然とした床材及びその製造方法についての従来技術を記載した文献は見当たらない。
【考案の概要】
【考案が解決しようとする課題】
【０００６】
この考案の課題は、新品であっても、床材の縁辺部に凹みや黒ずみ等が形成されていることにより使用済であるかのような外観を呈する木調の床材を提供することである。
【課題を解決するための手段】
【０００７】
前記課題を解決するための手段は、
（１）バック層とバック層の表面に積層され、フィルム基材の表面に木材様模様を印刷してなる模様印刷層と、その模様印刷層の表面に積層された透明層とを有する積層体からなり、前記積層体における模様印刷層及び透明層の周囲縁辺に傷様のへこみが形成されてなる使用済様木調床材であり、
（２）  前記積層体が長尺板状であり、前記模様印刷層における木材様模様が長尺の板模様である前記（１）に記載の使用済様木調床材であり、
（３）  前記木材様模様が、長尺板材を配列したときに生じる板材配列模様であり、その板材配列模様における板材と板材との接合部に傷様のへこみが形成されてなる前記（１）又は（２）に記載の使用済様木調床材である。
【考案の効果】
【０００８】
この考案に係る使用済様木調床材は、模様印刷層及び透明層の周囲縁辺に傷様のへこみが形成されているので、未使用のこの仕様済様木調床材を新規に床に張ると、新規に設置してあるにもかかわらず、年数を経て使用されていたのと同様の外観を呈することになり、レトロ調の雰囲気をその床材設置空間に与えることができる。
【図面の簡単な説明】
【０００９】
【図１】図１は、この考案に係る使用済様木調床材の一例を示す斜視図である。
【図２】図２は、この考案に係る使用済様木調床材の他の例を示す斜視図である。
【考案を実施するための形態】
【００１０】
図１に示されるように、この考案の一例である使用済様木調床材１は、バック層２とそのバック層２の表面に積層された模様印刷層３と、その模様印刷層３の表面に積層された透明層４とを有する積層体である。
【００１１】
バック層２は透明層４から観察すると見えないシートであり、また、床材の種類等に応じて、この使用済み様木調床材全体の厚みを確保し、また、使用済み様木調床材の弾力性、剛性、機械的強度等を保障する機能、及び／又は、反り防止機能等を有する。このバック層２は、熱可塑性樹脂を用いて形成される限りその製造法に制限がない。バック層２を製造するための原料は、この使用済み様木調床材の用途及び機能に応じて適宜に選定される。
【００１２】
このバック層２の表面に積層される模様印刷層３は、基材フィルムとその基材フィルムの表面に印刷された木材模様とを有する。基材フィルムは、塩ビシート乃至塩ビフィルム、ポリオレフィンフィルム乃至ポリオレフィンシート等を挙げることができる。
【００１３】
この基材フィルムの表面に印刷される木材模様は、木材であることを示す模様である限りどのような模様であっても良い。木材模様の典型例は、木目模様である。木目としては、柾目及び板目、年輪模様、節模様、杉板模様等の様々模様を採用することができる。
【００１４】
基材フィルムの表面に木材模様を印刷する方法としては、グラビア印刷、凸版印刷、凹版印刷、平版印刷等を挙げることができる。
【００１５】
木材模様は、この使用済様木調床材が新品であっても使用年数を経ているような外観を呈するように、ところどころに色褪せ部分を設けてもよく、また全体的に褪色した色調に、または黒にしてもよく、色彩を調整することによりレトロ調が強調されるようにしてもよい。
【００１６】
この模様印刷層３の表面には透明層４が積層される。透明層４は透明であるから、透明層４を通して模様印刷層３に形成されている木材模様を視認することができる。
【００１７】
この発明に係る使用済様木調床材１は、それ自体が一枚の長尺の板状として見えるように形成される場合には、模様印刷層及び透明層の周囲縁辺にへこみ５を適宜に有する。このへこみ５は、天然木である床材を床に敷いた場合に、その床材の上で長期間の生活を営むことによる擦り減り、重量物の移動や物体の落下による凹み痕、物体の落下等による欠け等に似せた窪みであればよく、その形状は様々であり得る。また、そのへこみ５の色調は他の部分の色調に比べて褪色したものであってもよく、また、そのへこみ５が黒色乃至黒色に近い色調に塗装されていても良い。
【００１８】
このへこみ５は、模様印刷層及び透明層の表面に形成されていても良い。
【００１９】
図２に示されるように、この発明に係る使用済様木調床材１における模様印刷層３に形成される木調模様は、複数の長尺の板材を平行に並べて配置することにより現出する模様であってもよい。
【００２０】
この考案に係る使用済様木調床材は、前記バック層、模様印刷層及び透明層を積層して得られる積層体に、前記へこみが形成されるように、プレス加工をすることにより、製造することができる。プレス加工は、前記模様印刷層及び透明層の周囲縁辺にへこみを形成するだけでなく、透明層の上方から金型を押圧することにより、使用済様木調床材の表面に凹凸模様、エンボス模様等を形成しても良い。
【産業上の利用可能性】
【００２１】
この考案に係る使用済様木調床材は、建築物の部屋内の床面、壁面、天井面又は柱面に敷設することによりレトロ調の雰囲気を実現することができる。
【符号の説明】
【００２２】
１            使用済様木調床材
２            バック層
３            模様印刷層
４            透明層
５            へこみ
６            木目模様
【図１】
0003181516.tif 000003
【図２】
0003181516.tif 000004